(57)【要約】【課題】所望のガンマ特性が容易に得られ、かつ、雰囲気の輝度に合せ、中間調における所望の輝度が得られる液晶表示装置およびその液晶表示装置を使用した車載用表示装置を提供する。【解決手段】複数の信号線１７および複数の走査線１８を有する液晶パネル１１と、各信号線１７を駆動する信号駆動部１５と、各走査線１８を駆動する走査駆動部１６と、複数のガンマテーブルを記憶する記憶部２０および論理部２４および論理部２４に接続され画像入力データを画像出力データに変換する変換部２７を有する制御部１２とを備え、制御部１２に対し電源が投入されると、制御部１２は論理部２４等を初期化し、記憶部２０から論理部２４に対し、所定のガンマテーブルを読み込ませる。【選択図】図２
2007310267.tif 000002
【特許請求の範囲】
【請求項１】
複数の信号線および複数の走査線を有する液晶パネルと、各信号線を駆動する信号駆動部
と、各走査線を駆動する走査駆動部と、複数のガンマテーブルを記憶する記憶部および論
理部および前記論理部に接続され画像入力データを画像出力データに変換する変換部を有
する制御部とを備え、前記制御部に対し電源が投入されると、前記制御部は前記論理部等
を初期化し、前記記憶部から前記論理部に対し、所定のガンマテーブルを読み込ませる事
を特徴とする液晶表示装置。
【請求項２】
前記電源が投入されると、前記記憶部と前記論理部とがアクセス可能となり、外部の供給
部と前記記憶部とがアクセス不可能となる構成とした事を特徴とする請求項１の液晶表示
装置。
【請求項３】
前記読み込み完了後に、外部の前記供給部から前記制御部に対し、リクエスト信号が入力
されると、外部の前記供給部と前記記憶部とがアクセス可能となり、前記記憶部と前記論
理部とがアクセス不可能となり、前記記憶部内の前記所定のガンマテーブルは更新される
事を特徴とする請求項１の液晶表示装置。
【請求項４】
前記制御部はガンマ選択信号が変更された事を検知した後に、前記制御部は前記論理部に
対し、前記更新されたガンマテーブルを読み込ませる事を特徴とする請求項３の液晶表示
装置。
【請求項５】
前記検知後に、前記記憶部と前記論理部とがアクセス可能となり、外部の前記供給部と前
記記憶部とがアクセス不可能となる構成とした事を特徴とする請求項４の液晶表示装置。
【請求項６】
前記読み込み完了後に、前記論理部は前記変換部に対し、前記更新されたガンマテーブル
を出力し、前記変換部は前記更新されたガンマテーブルに従い、画像入力データを画像出
力データに変換し、前記信号駆動部に対し、前記画像出力データを出力する事を特徴とす
る請求項４の液晶表示装置
【請求項７】
請求項１ないし請求項６のいずれか１項に記載の液晶表示装置と、自動車内の輝度を測定
する輝度計と、前記輝度計が出力する輝度に従って、前記制御部に対し、所望のガンマ選
択信号を出力する供給部とを具備した事を特徴とする車載用表示装置。
【発明の詳細な説明】
【技術分野】
【０００１】
本発明は、液晶表示装置及びその液晶表示装置を使用した車載用表示装置に関する。
【背景技術】
【０００２】
従来、この種の装置は例えば、特許文献１の図１に示されている。この図１によると、
オペアンプ１１等からなる第１の分圧回路と、オペアンプ１２等からなる第２の分圧回路
を設け、ガンマ補正電圧Ｖ０，Ｖ６を生成している。
【０００３】
また、複数の抵抗器と、オペアンプ１３〜１７からなる第３の分圧回路を設け、電圧Ｖ
０，Ｖ６を更に５種類の電圧に細分化し、ガンマ補正電圧Ｖ１〜Ｖ５を生成している。
【特許文献１】特開２００２−２５０９０８号公報
【発明の開示】
【発明が解決しようとする課題】
【０００４】
本発明者は、このガンマ補正回路と、液晶パネルと、ゲートドライバと、ソースドライ
バと、電源部等を有する液晶表示装置を製造した。なお、ソースドライバは、ガンマ補正
電圧Ｖ０〜Ｖ６を更に細分化し、６４階調とした。
【０００５】
この液晶表示装置における、ガンマ特性図を図７（γ＝２．２）に示す。図７の横軸は
階調度（階調信号）である。図７の縦軸は輝度相対値（％）を示す。
【０００６】
この時、液晶表示装置に設けられた冷陰極管は定格値（５００カンデラ／平方ｍ）にて
光出力の動作をしている。通常、良い表示品質を得るためには、適正なガンマ値（γ＝２
．２）にする必要がある。
【０００７】
この様に、この液晶表示装置では、ガンマ値が２．２に固定されているので、必要に応
じて、ガンマ値が２．２以外のガンマ特性が得られない、第１の欠点がある。
【０００８】
更に、この液晶表示装置を車載用表示装置（例えば、カーナビゲーション装置）に組み
込んだ場合、特に夜間では、液晶パネルが明る過ぎて、ユーザが見にくい、欠点がある。
この欠点を解消するために、本発明者は冷陰極管の出力を、定格値の約１０％（この程度
が最小限である）とした。この時、液晶パネルに設けられた表示画面の最大輝度は５０カ
ンデラ／平方ｍである。
【０００９】
この液晶表示装置は、中間調（例えば、階調度が２２の時）において、５カンデラ／平
方ｍである。これでも、ユーザは液晶パネルが明る過ぎると感じる、第２の欠点がある。
【００１０】
また、特に、昼間の太陽光が厳しい時、液晶パネルが暗過ぎて、ユーザが見にくい、欠
点がある。この時、冷陰極管の寿命を考慮して、本発明者は冷陰極管の出力を、定格値の
１００％とした。
【００１１】
この液晶表示装置は、中間調（例えば、階調度が４５の時）において、２３５カンデラ
／平方ｍである。これでも、ユーザは液晶パネルが暗いと感じる、第３の欠点がある。
【００１２】
そこで、本発明は、この様な従来の欠点を考慮して、所望のガンマ特性が容易に得られ
雰囲気の輝度に合わせて、中間調における、所望の輝度が得られる液晶表示装置およびそ
の液晶表示装置を使用した車載用表示装置を提供する。
【課題を解決するための手段】
【００１３】
請求項１の本発明では、複数の信号線および複数の走査線を有する液晶パネルと、各信
号線を駆動する信号駆動部と、各走査線を駆動する走査駆動部と、複数のガンマテーブル
を記憶する記憶部および論理部および前記論理部に接続され画像入力データを画像出力デ
ータに変換する変換部を有する制御部とを備え、前記制御部に対し電源が投入されると、
前記制御部は前記論理部等を初期化し、前記記憶部から前記論理部に対し、所定のガンマ
テーブルを読み込ませる。
【００１４】
請求項２の本発明では、前記電源が投入されると、前記記憶部と前記論理部とがアクセ
ス可能となり、外部の供給部と前記記憶部とがアクセス不可能となる構成とした。
【００１５】
請求項３の本発明では、前記読み込み完了後に、外部の前記供給部から前記制御部に対
し、リクエスト信号が入力されると、外部の前記供給部と前記記憶部とがアクセス可能と
なり、前記記憶部と前記論理部とがアクセス不可能となり、前記記憶部内の前記所定のガ
ンマテーブルは更新される。
【００１６】
請求項４の本発明では、前記制御部はガンマ選択信号が変更された事を検知した後に、
前記制御部は前記論理部に対し、前記更新されたガンマテーブルを読み込ませる。
【００１７】
請求項５の本発明では、前記検知後に、前記記憶部と前記論理部とがアクセス可能とな
り、外部の前記供給部と前記記憶部とがアクセス不可能となる構成とした。
【００１８】
請求項６の本発明では、前記読み込み完了後に、前記論理部は前記変換部に対し、前記
更新されたガンマテーブルを出力し、前記変換部は前記更新されたガンマテーブルに従い
、画像入力データを画像出力データに変換し、前記信号駆動部に対し、前記画像出力デー
タを出力する。
【００１９】
請求項７の本発明では、請求項１ないし請求項６のいずれか１項に記載の液晶表示装置
と、自動車内の輝度を測定する輝度計と、前記輝度計が出力する輝度に従って、前記制御
部に対し、所望のガンマ選択信号を出力する供給部とを具備した。
【発明の効果】
【００２０】
請求項１の様に、電源投入後に、制御部は論理部等を初期化するので、論理部等を構成
するフリップフロップに、以前のデータが残らず、正確なスタートができる。また、電源
投入後に、論理部に対し、所定のガンマテーブルを読み込ませるので、ガンマ選択信号が
入力されない場合、上記状態にて、正常なガンマテーブルに従う動作ができる。
【００２１】
請求項２の様に、電源投入後に、外部の供給部と記憶部とがアクセス不可能となるので
請求項１の様に、外部信号が入らずに、正確な初期化ができる。
【００２２】
請求項３の様に、リクエスト信号が入力されると、記憶部と論理部とがアクセス不可能
となるので、記憶部内のガンマテーブルは正確に更新される。故に、所望のガンマ特性が
容易に得られる。
【００２３】
請求項４の構成により、論理部に対し、更新されたガンマテーブルを正確に読み込むこ
とができる。
【００２４】
請求項５の様に、前記検知後に、供給部と記憶部とがアクセス不可能となるので、論理
部に対し、ガンマテーブルを正確に更新することができる。
【００２５】
請求項６の構成により、画像出力データは、更新されたガンマテーブルに、正確に従う
ことができる。
【００２６】
請求項７の構成により、雰囲気の輝度（自動車内の輝度）に合わせて、中間調における
所望の輝度（即ち、上記輝度に最も適した輝度）が得られる。
【発明を実施するための最良の形態】
【００２７】
以下、本発明の具体例を実施例及び図面を用いて詳細に説明する。
【実施例１】
【００２８】
以下に、図１ないし図５に従って、本発明の実施例１に係る液晶表示装置１０を説明す
る。図１は液晶表示装置１０のブロック図である。図２は、液晶表示装置１０に用いられ
る制御部１２のブロック図である。図３は、液晶表示装置１０に用いられる記憶部を説明
するための図面である。図４は前記記憶部に記憶されたガンマテーブル、図５は図４に続
くガンマテーブルである。
【００２９】
図１において、液晶表示装置１０は、液晶パネル１１と、制御部１２と、電源供給部１
３と、ガンマ補正用階調基準電圧発生回路１４と、複数の信号駆動部１５と、複数の走査
駆動部１６を備えている。
【００３０】
液晶パネル１１は例えば、下ガラス基板上に複数個が形成された信号線１７と、複数個
が形成された走査線１８と、それらの交点近傍に設けられたＴＦＴと、ＴＦＴに接続され
た画素電極（共に図示せず）等を有する。
【００３１】
液晶パネル１１は、上ガラス基板に設けられたＲ，Ｇ，Ｂのフィルタ層と、共通電極と
下ガラス基板と上ガラス基板との間に設けられた液晶（共に図示せず）等を有する。
【００３２】
信号駆動部１５は、液晶パネル１１に設けられた各信号線１７を駆動するものである。
走査駆動部１６は、液晶パネル１１に設けられた各走査線１８を駆動するものである。
【００３３】
制御部１２は、コネクタ（図示せず）を介して、コンピュータ、テレビジョン装置、カ
ーナビゲーション装置、ビデオ再生装置、ＤＶＤ再生装置等から送られてきたデータイネ
ーブル信号ＤＥと、例えばＲＧＢ各６ビットの画像入力データＩＲＤ，ＩＧＤ，ＩＢＤと
クロック信号ＤＯＴＣＬと、垂直同期信号ＶＳＹＮと、水平同期信号ＨＳＹＮを取り込ん
で、デジタル的に信号処理する。
【００３４】
制御部１２は、画像出力データＤＲ，ＤＧ，ＤＢを、信号駆動部１５へ供給し、クロッ
クパルスＣＰＶを、電源供給部１３および走査駆動部１６へ供給する。また、フレーム信
号ＦＬＭを、走査駆動部１７へ供給する。
【００３５】
制御部１２は信号駆動部１５に対し、クロック信号ＣＫと、極性信号ＰＯＬと、ラッチ
信号ＬＳと、スタートパルスＳＰを出力する。
【００３６】
電源供給部１３は、供給された電源電圧ＶＩＮ（例えば、直流１２ボルト）を元に、液
晶表示装置１０内で使用される各種の電圧、例えば、制御部１２と信号駆動部１５と走査
駆動部１６に対し、駆動用電圧ＶＤＤを出力する。
【００３７】
また、電源供給部１３は、ガンマ補正用階調基準電圧発生回路１４に対し、基準電圧Ｖ
ＣＯＭ１とＶＣＯＭ２を出力する。
【００３８】
電源供給部１３は、信号駆動部１５に対し、電圧ＶＧＥＮを出力する。電源供給部１３
は、走査駆動部１６に対し、電圧ＶＧＨとＶＧＬを出力する。電源供給部１３は、液晶パ
ネル１１に設けられた共通電極に対し、電圧Ｖｃｏｍを出力する。
【００３９】
ガンマ補正用階調基準電圧発生回路１４は、電源供給部１３から供給されたガンマ補正
用階調基準電圧ＶＣＯＭ１およびＶＣＯＭ２を抵抗分圧することにより、階調基準電圧Ｖ
ＧＭ１〜ＶＧＭ１０を生成し、各信号駆動部１５に対し、出力する。
【００４０】
信号駆動部１５は、内蔵する電源回路（図示しないが、抵抗群のこと）により、階調基
準電圧ＶＧＭ１〜ＶＧＭ１０を基に、６４個の階調電圧Ｖ０〜Ｖ６３を生成する。
【００４１】
この階調電圧Ｖ０〜Ｖ６３は各々、階調信号０〜６３（図７の横軸に示した）に対応す
る。即ち、信号駆動部１５は、階調信号０が入力されると、階調電圧Ｖ０を出力する。ま
た、信号駆動部１５は、階調信号６３が入力されると、階調電圧Ｖ６３を出力する。
【００４２】
電源供給部１３は電源電圧ＶＩＮが入力されると、制御部１２に対し、リセット信号Ｒ
ＥＳＥＴを出力する。上述した部品１１，１２，１３，１４，１５，１６，１７，１８等
により、液晶表示装置１０は構成されている。
【００４３】
次に、図２に従い、制御部１２を説明する。制御部１２は、記憶部２０と、スイッチ２
１と、調停部２２と、検知部２３と、論理部２４と、スレーブ２５と、選択部２６と、変
換部２７等からなる。
【００４４】
また、図２に示していないが、制御部１２には、各種タイミング信号ＣＫ，ＰＯＬ，Ｌ
Ｓ，ＳＰ，ＦＬＭ，ＣＰＶ等を生成するために、各々のフリップフロップ回路が設けられ
ている。
【００４５】
記憶部２０は例えば、ＥＥＰＲＯＭからなる。図３（ａ）に示す様に、記憶部２０は例
えば８個のガンマテーブル、即ち、ガンマテーブル１，２，３，４，５，６，７，８を有
している。
【００４６】
１個のテーブルは６４バイトで構成されている。１個のバイト２８は、１つの階調信号
を示し、例えば、６ビットの階調データ２９からなる。例えば、階調データ００００１１
は、階調信号３（デジマル値）を示す。
【００４７】
各ガンマテーブル１〜８は、各ガンマ選択信号０００〜１１１に対応し、各デジマル値
０〜７に対応し、各ガンマ値２．２〜２．８に対応している。
【００４８】
即ち、デフォルト状態の時、ガンマ選択信号が０００であり、ガンマ値が２．２である
。この時、ガンマテーブルが１であり、例えば、これを所定のガンマテーブル１と呼ぶ。
【００４９】
また、ガンマ値が２．８の時、ガンマ選択信号は１１１であり、ガンマテーブル８が選
択される。
【００５０】
図４と図５は、８個のガンマテーブルを示す。図４、図５において、左の欄は入力デー
タを示す。制御部１２に入力される画像入力データの中で、例えば、赤色の階調データＩ
ＲＤ（デジタル値）を示す階調信号（デジマル値）が入力データである。緑色の階調デー
タＩＧＤと、青色の階調データＩＢＤも同様である。
【００５１】
右の欄は、例えばガンマ値が２．２の時の出力データを示す。制御部１２から出力され
る画像出力データの中で、例えば、赤色の階調データＤＲ（デジタル値）を示す階調信号
（デジマル値）が出力データである。
【００５２】
緑色の階調データＤＧと青色の階調データＤＢも同様である。
【００５３】
１番右の欄は、例えばガンマ値が２．８の時の出力データを示す。制御部１２から出力
される画像出力データの中で、例えば、赤色の階調データＤＲ（デジタル値）を示す階調
信号（デジマル値）が出力データである。
【００５４】
図４、図５により、ガンマ値が２．８の時、入力データに比べ、大部分の出力データが
小さいことが分かる。この様に、記憶部２０は、複数のガンマテーブルを記憶している。
【００５５】
図２において、スイッチ２１は、Ａのバスを通過させるか、または、Ｂのバスを通過さ
せるかを、切り替えるものである。
【００５６】
調停部２２は、以下に述べる各部品から各信号が入力され、その結果、スイッチ２１を
切り替えるものである。
【００５７】
検知部２３は、ガンマ選択信号が変更された事を検知するものである。検知部２３は、
上記変更を検知した時、調停部２２に対し、ハイレベル状態の検知信号ｔａｂｌｅ−ｃｈ
ａｎｇｅを出力する。
【００５８】
論理部２４は、論理回路からなる。論理部２４は、電源投入時に、記憶部２０内の所定
のガンマテーブル１が読み込まれるものである。論理部２４は、選択信号により、ガンマ
テーブルを更新するものである。
【００５９】
スレーブ２５は、外部の供給部３０から、ガンマ選択信号を入力し、論理部２４等に対
し、ガンマ選択信号を出力するものである。
【００６０】
選択部２６は、論理部２４が出力するガンマテーブルと、スレーブ２５が出力するガン
マテーブルの、どちらか１方を選択するものである。
【００６１】
変換部２７は、選択されたガンマテーブルに従い、画像入力データＩＲＤ，ＩＧＤ，Ｉ
ＢＤを、画像出力データＤＲ，ＤＧ，ＤＢに変換し、出力するものである。
【００６２】
この様に、変換部２７は論理部２４に接続され、画像入力データを画像出力データに変
換するものである。以上の部品２０，２１，２２，２３，２４，２５，２６，２７等によ
り、制御部１２は構成されている。
【００６３】
次に、図１ないし図７に従い、液晶表示装置１０の動作を説明する。図６は、この液晶
表示装置１０の状態遷移図である。
【００６４】
最初に、電源供給部１３を介して、電源が投入される（図１と図６（１）を参照）。こ
の時、制御部１２を構成する論理部２４と、調停部２２と、検知部２３と、スレーブ２５
等に、ＲＥＳＥＴ信号が入力され、各々が初期化される。
【００６５】
次に、制御部１２は、記憶部２０から論理部２４に対し、所定のガンマテーブル１（図
３（ａ）参照）を読み込ませる（図６（２）参照）。
【００６６】
即ち、上記電源が投入されると、記憶部２０と論理部２４とがアクセス可能となり、Ｂ
のバスが通信可能となる（図２参照）。この時、外部の供給部３０と記憶部２０とがアク
セス不可能となり、Ａのバスが通信不可能となる（図２参照）。
【００６７】
次に、論理部２４が読み込み完了（図６（３）参照）すると、論理部２４は、供給部３
０からの指示待ち状態となる（図６（４）参照）。
【００６８】
その後、供給部３０から制御部１２に対し、例えばリクエスト信号ｒｏｍ＿ｒｅｑが入
力される（図６（５）参照）。
【００６９】
その結果、供給部３０と記憶部２０とがアクセス可能となり、Ａのバスが通信可能とな
る（図６（６）参照）。そして、記憶部２０と論理部２４とがアクセス不可能となる。
【００７０】
即ち、図６（６）において、供給部３０は、記憶部２０内にて、ガンマテーブル８に更
新する（図３（ａ）参照）。
【００７１】
次に、供給部３０から制御部１２に対し、例えば、ガンマ選択信号１１１（図３参照）
が入力される。そして、制御部１２は、ガンマ選択信号１１１に変更された事を検知する
（図６（７）参照）。
【００７２】
その後に、記憶部２０と論理部２４とがアクセス可能となる（図６（８）参照）。供給
部３０と記憶部２０とがアクセス不可能となる。
【００７３】
そして、図６（８）において、制御部１２は、論理部２４に対し、更新されたガンマテ
ーブル８を読み込ませる。
【００７４】
次に、更新されたガンマテーブル８の読み込み終了（図６（９）参照）後に、供給部３
０からの指示待ち状態となる（図６（４）参照）。
【００７５】
仮に、上記指示が無い場合、論理部２４は変換部２７に対し、更新されたガンマテーブ
ル８を出力する。その結果、変換部２７は更新されたガンマテーブル８に従い、画像入力
データＩＲＤ，ＩＧＤ，ＩＢＤを、画像出力データＤＲ，ＤＧ，ＤＢに変換し、信号駆動
部１７に対し、画像出力データを出力する。この時、ガンマ特性は、γ＝２．８の通りと
なる（図７参照）。
【００７６】
前記読み込み完了（図６（４）参照）後に、制御部１２は、ガンマ選択信号が例えば、
１１１から００１に変更された事を検知したとする（図６（５）参照）。
【００７７】
この時、制御部１２は再び、図６（６）と図６（７）と図６（８）と図６（９）と図６
（４）の動作を行う。
【００７８】
即ち、変換部２７は、再び変更されたガンマ選択信号００１に基づくガンマテーブル２
に従う。変換部２７は、画像入力データＩＲＤ，ＩＧＤ，ＩＢＤを画像出力データＤＲ，
ＤＧ，ＤＢに変更する。そして、変換部２７は信号駆動部１５に対し、前記画像出力デー
タＤＲ，ＤＧ，ＤＢを出力する。この時、ガンマ特性は、γ＝１．４の通りとなる（図７
参照）。以上にて、液晶表示装置１０の説明を終わる。
【実施例２】
【００７９】
次に、主に図１に従い、本発明の実施例２に係る車載用表示装置３１を説明する。車載
用表示装置３１は、液晶表示装置１０と、供給部３０と、輝度計３２等から構成されてい
る。
【００８０】
輝度計３２は、自動車（図示せず）の内部の輝度を測定するものである。供給部３０は
例えばマイコン等からなり、輝度計３２が測定した輝度が入力されると、制御部１２に対
し、所望の（即ち、上記輝度に最も適した）ガンマ選択信号を出力する。
【００８１】
例えば、この車載用表示装置３１をカーナビゲーション装置に組み込んだとする。夜間
に使用したとする。冷陰極管の出力を、定格値の約１０％とする。この時、液晶パネル１
１に設けられた表示画面の最大輝度は、５０カンデラ／平方ｍである。
【００８２】
この車載用表示装置３１は、中間調（例えば、階調度が２２の時）において、２．５カ
ンデラ／平方ｍである。この値は、従来値の５０％であり、ユーザは明る過ぎると、感じ
ない。
【００８３】
また、特に、昼間の太陽光が厳しい時、冷陰極管の出力を、定格値の１００％とする。
この車載用表示装置３１において、中間調（例えば、階調度が４５の時）の時、液晶パネ
ル１１の輝度は、３１０カンデラ／平方ｍである。この値は、従来値の１３２％であり、
ユーザは暗いと、感じない。
【図面の簡単な説明】
【００８４】
【図１】本発明の実施例１に係る液晶表示装置１０のブロック図である。
【図２】液晶表示装置１０に用いられる制御部１２のブロック図である。
【図３】液晶表示装置１０に用いられる記憶部２０を説明するためのブロック図である。
【図４】前記記憶部２０に記憶されたガンマテーブルを示す図面である。
【図５】図４に続くガンマテーブルを示す図面である。
【図６】液晶表示装置１０の動作を説明するための状態遷移図である。
【図７】ガンマ特性図である。
【符号の説明】
【００８５】
１１  液晶パネル
１２  制御部
１５  信号駆動部
１６  走査駆動部
１７  信号線
１８  走査線
２０  記憶部
２２  調停部
２３  検知部
２４  論理部
２７  変換部
【図１】
2007310267.tif 000003
【図２】
2007310267.tif 000004
【図３】
2007310267.tif 000005
【図４】
2007310267.tif 000006
【図５】
2007310267.tif 000007
【図６】
2007310267.tif 000008
【図７】
2007310267.tif 000009